(57)【要約】【課題】  ユーザが不正確に発声した読み方で他国語の文又は語句を容易かつ効果的に検索できるようにする。【解決手段】  表示制御装置（電子辞書１）は、第一国語の文又は語句と、第一国語読みとを対応付けて記憶する第一国語記憶手段（日中データベース群８２）と、いずれかの第一国語の文又は語句を表示させる第一国語表示制御手段（ＣＰＵ２０）と、表示された第一国語の文又は語句に対応してユーザが発声した発声音声データを取得するユーザ音声取得手段（ＣＰＵ２０）と、発声音声データを音声認識して第一国語の文字列を決定するユーザ発声文字列決定手段（ＣＰＵ２０）と、第一国語の文字列をユーザ読みとして第一国語の文又は語句に対応付けて登録するユーザ読み登録手段（ＣＰＵ２０）と、ユーザ操作により入力された第一国語の文字列に対応するユーザ読みの第一国語の文又は語句を表示させるユーザ読み表示制御手段（ＣＰＵ２０）とを備える。【選択図】図２
2015184285.tif 000002
【特許請求の範囲】
【請求項１】
第一国語の文又は語句と、当該文又は語句の第一国語読みとを対応付けて複数組記憶する第一国語記憶手段と、
前記第一国語記憶手段に記憶されたいずれかの第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段と、を備えることを特徴とする表示制御装置。
【請求項２】
請求項１記載の表示制御装置において、
前記第一国語記憶手段は、第一国語の文又は語句と、前記第一国語読みに対応する第一国語誤り読み候補とを対応付けて複数組記憶していて、
前記ユーザ発声文字列決定手段は、前記ユーザ音声取得手段により取得された発声音声データを音声認識して、前記第一国語の文又は語句に対応する第一国語読み及び前記誤り候補のうちから、前記ユーザが発声した第一国語の文字列をユーザ読みとして決定することを特徴とする表示制御装置。
【請求項３】
請求項２記載の表示制御装置において、
前記第一国語記憶手段は、第一国語の文又は語句と、前記第一国語読みに対応する第一国語誤り読み候補とを対応付けて複数組記憶していて、
前記ユーザ発声文字列決定手段により決定された第一国語の文字列を前記表示部に表示させるユーザ発声文字列表示制御手段と、
前記第一国語の文又は語句に対応する第一国語読み及び複数の前記誤り読み候補をランダムな順で前記表示部に表示させる読み候補表示制御手段と、
前記読み候補表示制御手段によりランダムに表示された第一国語読み及び複数の前記誤り読み候補のうちのいずれかを、ユーザ操作によりユーザ読みとして選択するユーザ読み選択手段と、を備え、
前記ユーザ読み登録手段は、前記ユーザ読み選択手段で選択されたユーザ読みを、前記表示された第一国語又は語句に対応付けて登録するユーザ選択読み登録手段を備えることを特徴とする表示制御装置。
【請求項４】
請求項１〜３のいずれか一項に記載の表示制御装置において、
前記第一国語表示制御手段は、前記表示された第一国語の文又は語句の第一国語読みと、ユーザ読み登録手段にユーザ読みとして登録された前記第一国語の文字列と、を合わせて前記表示部に表示させることを特徴とする表示制御装置。
【請求項５】
請求項１〜４のいずれか一項に記載の表示制御装置において、
前記第一国語記憶手段は、第一国語の文又は語句と、当該文又は語句の第一国語読みと、前記文又は語句の第二国語訳と、を対応付けて複数組記憶し、
前記第一国語表示制御手段は、前記第一国語記憶手段に記憶されたいずれかの第一国語の文又は語句を読み出して前記表示部に表示させる際に、当該第一国語の文又は語句に対応する前記文又は語句の第二国語訳も合わせて前記表示部に表示させることを特徴とする表示制御装置。
【請求項６】
第一国語の文又は語句と、当該文又は語句の第一国語読みとを対応付けられた状態で外部から取得する第一国語取得手段と、
前記第一国語取得手段で取得された第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段と、を備えることを特徴とする表示制御装置。
【請求項７】
請求項１〜６のいずれか一項に記載の表示制御装置において、
前記表示部と、
キー群及びタッチパネルの少なくとも一方とを備え、
前記ユーザ操作は、前記キー群及び前記タッチパネルの少なくとも一方に対して行われることを特徴とする表示制御装置。
【請求項８】
コンピュータを、
第一国語の文又は語句と、当該文又は語句の第一国語読みとを対応付けて複数組記憶する第一国語記憶手段と、
前記第一国語記憶手段に記憶されたいずれかの第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段として機能させることを特徴とするプログラム。
【請求項９】
コンピュータを、
第一国語の文又は語句と、当該文又は語句の第一国語読みとを対応付けられた状態で外部から取得する第一国語取得手段と、
前記第一国語取得手段で取得された第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段として機能させることを特徴とするプログラム。
【発明の詳細な説明】
【技術分野】
【０００１】
本発明は、表示制御装置及びプログラムに関する。
【背景技術】
【０００２】
従来、第一言語の発話音声の入力を受け付けて音声認識することにより、文字列を生成し、その文字列を第二言語に翻訳する音声翻訳装置が知られている（例えば特許文献１参照）。このような音声翻訳装置を用いてユーザは他国語（第一国語）を学習する場合もある。
【先行技術文献】
【特許文献】
【０００３】
【特許文献１】特開２０１０−０７９６４７号公報
【発明の概要】
【発明が解決しようとする課題】
【０００４】
ここで、例えば中国人であるユーザが日本語学習をする場合、日本語の会話文や語句を発声して暗記し、暗記した会話文などを思い出して発声する学習方法が行われているが、中国人が他国語（第一国語）である日本語を正確に発音して日本語の読みを覚えることは困難である。特に、他国語（第一国語）を発声したとしても、母国語（第二国語）の発声体系に引きずられてしまい、他国語の読みを不正確に覚えてしまうことも想定される。こうした場合、会話文や語句を他国語の読みで検索しようとしても、その読みを不正確に覚えているために所望する検索結果が得られないことになる。
本発明の課題は、ユーザが他国語（第一国語）を発声した読み方が不正確な場合でも、ユーザの読み方で他国語（第一国語）の文又は語句を容易かつ効果的に検索できるようにすることである。
【課題を解決するための手段】
【０００５】
請求項１記載の発明では、
第一国語の文又は語句と、当該文又は語句の第一国語読みとを対応付けて複数組記憶する第一国語記憶手段と、
前記第一国語記憶手段に記憶されたいずれかの第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段と、を備えることを特徴とする表示制御装置が提供される。
【発明の効果】
【０００６】
本発明によれば、ユーザが他国語（第一国語）を発声した読み方が不正確な場合でも、ユーザの読み方で他国語（第一国語）の文又は語句を容易かつ効果的に検索することができる。
【図面の簡単な説明】
【０００７】
【図１】（ａ）は電子辞書の概略構成を示す平面図であり、（ｂ）はタブレットパソコンを示す平面図である。
【図２】電子辞書の機能構成を示すブロック図である。
【図３】日本語表記候補テーブルの内容の一例を示す説明図である。
【図４】日本語学習処理の流れを示すフローチャートである。
【図５】日本語学習処理の流れを示すフローチャートである。
【図６】日本語学習処理の流れを示すフローチャートである。
【図７】図１の電子辞書における表示内容の一例を示す説明図である。
【図８】図１の電子辞書における表示内容の一例を示す説明図である。
【図９】図１の電子辞書における表示内容の一例を示す説明図である。
【発明を実施するための形態】
【０００８】
以下、添付図面を参照して、本発明に係る表示制御装置を電子辞書に適用した場合の実施形態の一例を詳細に説明する。ただし、発明の範囲は、図示例に限定されない。
【０００９】
［１  外観構成］
図１（ａ）は、電子辞書１の平面図である。
なお、本発明に係る表示制御装置としての電子辞書１は、日本向けに製造されたものであるが、中国人のユーザが使用する場合を例示して説明する。ユーザが母国語とする言語（中国語）からすると日本語が他国語となるため、以下ではそれを踏まえて説明する。
【００１０】
図１（ａ）に示すように、電子辞書１は、メインディスプレイ１０、サブディスプレイ１１、カードスロット１２、及びキー群２を備えている。
【００１１】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１２】
カードスロット１２は、種々の情報を記憶した外部情報記憶媒体１２ａ（図２参照）を着脱可能に設けられている。
【００１３】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、戻るキー２ｇと、音声キー２ｈ等とを有している。
【００１４】
訳／決定キー２ｂは、各種処理の実行、見出し語の決定等に使用されるキーである。文字キー２ｃは、ユーザによる文字の入力等に使用されるキーであり、本実施形態においては、“Ａ”〜“Ｚ”キーを備えている。
【００１５】
カーソルキー２ｅは、画面内にあるカーソルの移動等に使用されるキーであり、本実施の形態においては上下左右の方向を指定可能となっている。
戻るキー２ｇは、前回表示した画面に戻るとき等に使用されるキーである。
音声キー２ｈは、選択された語句や会話文を音声で出力するためのキーである。
【００１６】
［２  内部構成］
続いて、電子辞書１の内部構成について説明する。図２は、電子辞書１の内部構成を示すブロック図である。
【００１７】
この図に示すように、電子辞書１は、表示部４０、入力部３０、音声出力部５０、音声入力部５５、記録媒体読取部６０、ＣＰＵ（Central Processing Unit）２０、記憶部８０、通信部９０を備え、各部はバスで相互にデータ通信可能に接続されて構成されている。
【００１８】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００１９】
入力部３０は、上述のキー群２やタッチパネル１１０を備えており、押下されたキーやタッチパネル１１０の位置に対応する信号をＣＰＵ２０に出力するようになっている。
【００２０】
音声出力部５０は例えばスピーカであり、ＣＰＵ２０が記憶部８０から読み出し再生した音声データを出力するようになっている。
音声入力部５５は例えばマイクであり、外部からの音を取り込んで発声音声データとして記憶部８０に記憶するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース等が格納されるようになっている。なお、この辞書データベースは後述の記憶部８０における日中データベース群８２と言語は異なるものの同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を表示部４０に適宜出力させる。
【００２４】
記憶部８０は、電子辞書１の各種機能を実現するためのプログラムやデータを記憶するとともに、ＣＰＵ２０の作業領域として機能するメモリである。本実施形態においては、記憶部８０は、本発明に係るプログラムとしての日本語学習制御プログラム８１と、音声認識プログラム８３と、日中データベース群８２等とを記憶している。なお、本実施形態では日中データベース群８２のみを示しているが、その他の日本語−外国語のデータベース群や、外国語−外国語のデータベース群も記憶部８０に記憶されている。
【００２５】
日本語学習制御プログラム８１は、後述の日本語学習処理（図３参照）をＣＰＵ２０に実行させるためのプログラムである。
【００２６】
音声認識プログラム８３は、ユーザが発声したことにより音声入力部５５を介して入力された発声音声データに対して周知の音声認識処理を施すことで、その発声音声データの内容を認識するようにＣＰＵ２０に実行させるためのプログラムである。
具体的に音声認識プログラム８３では、ユーザが日本語の会話文又は語句を発声したことにより取得した発声音声データを音声認識し、その認識結果に対して、複数の候補を照合することによって、複数の候補の中からユーザが発声した文字列を決定するようになっている。ここで複数の候補については後述する。
【００２７】
日中データベース群８２は、本発明に係る第一国語記憶手段であり、日中辞書データベース８２１と、日本語音声会話コンテンツ８２２と、日本語表記候補テーブル８２３と、ユーザ読みデータ８２４とを備えている。
日中辞書データベース８２１は、日本語の語句と、その語句の日本語読みと、その語句の中国語訳とを対応付けて複数記憶している。
日本語音声会話コンテンツ８２２は、日本語の会話文と、その会話文の日本語読みと、日本語読みの音声データと、その会話文の中国語訳とを対応付けて複数記憶している。
【００２８】
日本語表記候補テーブル８２３は、日本語の読みを学習する際に用いられるものであり、日本語の語句及び会話文のそれぞれに対して、中国人が日本語読みで誤発声する可能性の高い複数の候補をテーブル化して記憶している。
【００２９】
図３は、日本語（第一国語）表記候補テーブル８２３の内容の一例を示す説明図である。
図３に示すように、日本語表記候補テーブル８２３には、ジャンル、中国語訳（第二国語訳）、日本語（第一国語の文又は語句）、日本語での正式読み（図３中「正式読み」：第一国語読み）、複数の読み候補（図３中「読み候補」：第一国語の誤り読み候補）、ユーザ選択欄（図３中「ユーザ読み」）が一つの中国語訳（第二国語訳）毎に設けられている。
ここで、日本語の正式読みとは、日本語の語句又は会話文（例、「上手な」・・・）の正式読みをひらがなで表記したもの（例：「（Ａ）じょうずな」）であり、本発明に係る第一国語読みである。
また、誤り読み候補（第一国語の誤り読み候補）とは日本語（第一国語）の語句又は会話文を中国人が日本語で誤発声してしまうであろう誤りの候補をひらがなで表記したものである（例、「（１）じょずな」、「（２）じようずな」、「（３）じょうず」）。
これら日本語の正式読み（第一国語読み）と複数の読み候補（第一国語の誤り読み候補）とを合わせたものが、前述した音声認識プログラム８３で用いられる複数の候補である。
【００３０】
また、ユーザ選択欄は、日本語学習時のユーザ主体の情報（ユーザ学習情報）が登録される欄であり、ユーザ音声読み欄とユーザ選択読み欄とを備えている。
ユーザ音声読み欄では、ユーザが語句を日本語で発声した際に、複数の候補のうち、音声認識処理で認識された文字列に該当する候補が記憶される。例えば、「上手な」という日本語をユーザが発声し、音声認識で認識された文字列が「じょずな」である場合には（１）「じょずな」がユーザ音声読み欄に登録される。
【００３１】
ユーザ選択読み欄では、ユーザ音声読み欄に登録された内容をユーザが視認し、日本語の正式読みとは異なる文字列と判断した場合に、複数の候補から再度ユーザ操作によって選択された候補（ユーザ読み）が記憶される。例えば、上述したように、ユーザ音声読み欄に「上手な」という読みとして「じょずな」が登録されていた場合、ユーザ操作によって「じょうずな」が選択されたとすると、ユーザ選択読み欄には（Ａ）「じょうずな」が登録される。
【００３２】
ユーザ読みデータ８２４は、前述のユーザ選択欄での登録内容をユーザ学習情報として、その語句又は会話文に対応付けて記憶している。
【００３３】
通信部９０は、無線或いは有線によって例えばインターネットＮなどの回線を通じて外部のサーバ装置１００と通信自在になっており、サーバ装置１００から情報を読み取ったり、サーバ装置１００に情報を送信したりするようになっている。
【００３４】
［３  動作］
続いて、電子辞書１の動作について、図面を参照しつつ説明する。
【００３５】
図４〜図６は、ＣＰＵ２０が日本語学習制御プログラム８１を読み出して実行する日本語学習処理の流れを示すフローチャートである。
なお、日本語学習制御プログラム８１の実行以前には、電子辞書１に対してユーザが母国語とする言語（中国語）を設定する。これにより、電子辞書１では、中国人向けのコンテンツが選択できるようになる。
【００３６】
図４に示すように、中国人向けの日本語学習処理においてまずＣＰＵ２０は、ユーザ操作により日本語会話が選択されたか否かを判定し（ステップＳ１）、日本語会話が選択されていないと判定した場合（ステップＳ１；ＮＯ）にはステップＳ１２に移行し、選択されていると判定した場合（ステップＳ１；ＹＥＳ）にはステップＳ２に移行する。
【００３７】
次に、ＣＰＵ２０は、ユーザ操作により学習対象（語句又は会話文）が選択されると（ステップＳ２）、その選択された学習対象と当該学習対象の日本語訳とを日中データベース群８２から読み出してメインディスプレイ１０に表示させる（ステップＳ３）。
次いで、ＣＰＵ２０は、ユーザ操作により音声モード「比較」が選択されたか否かを判定し、選択されていない場合（ステップＳ４；ＮＯ）には他の処理へと移行し、選択されている場合（ステップＳ４；ＹＥＳ）には、メインディスプレイ１０に表示された学習対象をユーザが発声したことにより音声入力部５５に入力された発声音声データを記憶部８０に記憶する（ステップＳ５）。
【００３８】
次いで、ＣＰＵ２０は、記憶部８０に記憶された発声音声データを読み出して、音声認識プログラム８３に基づいて音声認識し、その認識結果に対して、複数の候補を照合することによって、複数の候補（日本語の正式読みと複数の読み候補）の中から一つの候補を決定することにより、ユーザが発声した日本語の読みの文字列を決定する（ステップＳ６）。
【００３９】
次いで、ＣＰＵ２０は、文字認識により決定された候補を語句毎にメインディスプレイ１０に表示させるとともに、複数の候補（日本語の正式読みと、複数の誤り読み候補）もランダムに並べて語句毎にメインディスプレイ１０に表示させる。（ステップＳ７）。なお、ここで学習対象が一つの語句であれば、その語句に対して、文字認識により決定された候補と、複数の候補とがランダムに並べて表示される。また学習対象が文章である場合には、その文章をなす複数の語句のそれぞれに対して、文字認識により決定された候補と、複数の候補とがランダムに並べて表示される。
【００４０】
次いで、メインディスプレイ１０に表示された内容を基に、ユーザがタッチパネル１１０に対するタッチ操作又はキー群２のうちのカーソルキー２ｅと決定キー２ｂとの操作によって、語句毎に一つの候補がユーザ読みとして選択され、ＣＰＵ２０に入力される（ステップＳ８）。
【００４１】
次いで、ＣＰＵ２０は、表示中の複数の候補（日本語の正式読みと、複数の誤り読み候補）のうち、日本語の正式読みと、ステップＳ８でユーザ操作によって選択された候補（ユーザ読み）と、音声認識で決定された候補とを語句毎に識別表示し（ステップＳ９）、前記決定された候補と、前記選択された候補とを語句毎にユーザ選択欄に登録する（ステップＳ１０）。例えば、日本語の正式読みを赤枠で囲んで識別表示し、ユーザ操作によって選択された候補を緑の網掛けで識別表示し、音声認識で決定された候補を黄色の網掛けで識別表示する。
【００４２】
次いで、ＣＰＵ２０は、ユーザ操作により別の学習対象が選択されたか否かを判定し（ステップＳ１１）、選択されていないと判定した場合（ステップＳ１１；ＮＯ）にはステップＳ４に移行し、選択されていると判定した場合（ステップＳ１１；ＹＥＳ）にはステップＳ３に移行する。
【００４３】
また、ＣＰＵ２０は、ステップＳ１で日本語会話が選択されていないと判定した場合（ステップＳ１；ＮＯ）には、ユーザ操作により日中辞書が選択されたか否かを判定し（ステップＳ１２）、日中辞書が選択されていないと判定した場合（ステップＳ１２；ＮＯ）には他の処理に移行し、選択されていると判定した場合（ステップＳ１２；ＹＥＳ）にはステップＳ１３に移行する。
【００４４】
ステップＳ１３では、ＣＰＵ２０は、ユーザ操作により標準読み検索が選択されたか否かを判定し、標準読み検索が選択されていないと判定した場合（ステップＳ１３；ＮＯ）にはステップＳ２１に移行し、選択されていると判定した場合（ステップＳ１３；ＹＥＳ）にはステップＳ１４に移行する。ここで、標準読み検索とは、日本語の正式読みに基づいて検索を実行する検索処理のことである。
【００４５】
ＣＰＵ２０は、標準読み検索を実行し、ユーザ操作により読みが入力されると（ステップＳ１４）、日本語の正式読みを基準にして文字入力毎に日中データベース群８２から前方一致検索して該当の見出しをメインディスプレイ１０に一覧表示する（ステップＳ１５）。
なお、標準読み検索の開始時においては、ＣＰＵ２０は、前回の入力内容をメインディスプレイ１０に表示しており、これにより新規入力だけでなく前回の入力内容を修正することも可能となっている。
【００４６】
次いで、ＣＰＵ２０は、一覧表示されている見出しから何れかの見出しがユーザ操作により選択されると（ステップＳ１６）、選択された見出しの語句又は会話文と、中国語訳と、日本語の正式読みとをメインディスプレイ１０に表示する（ステップＳ１７）。
【００４７】
次に、ＣＰＵ２０は、選択された見出し語の語句又は会話文に対して、ユーザ学習情報が登録されているか否かを判定し（ステップＳ１８）、登録されていない場合（ステップＳ１８；ＮＯ）はステップＳ２０に移行し、登録されている場合（ステップＳ１８；ＹＥＳ）は、ユーザ学習情報の登録内容と、日本語の正式読みとをメインディスプレイ１０に識別表示させる（ステップＳ１９）。
【００４８】
次いで、ＣＰＵ２０は、キー群２の戻るキー２ｇが操作されたか否かを判定し（ステップＳ２０）、操作された場合にはステップＳ１４に移行し、そうでない場合は他の処理を実行する。
【００４９】
また、ＣＰＵ２０は、ステップＳ１３で標準読み検索が選択されていないと判定した場合（ステップＳ１３；ＮＯ）には、ユーザ操作によりユーザ聞き取り読み検索（しゃべったまま検索）が選択されたか否かを判定し（ステップＳ２１）、選択されていないと判定した場合（ステップＳ２１；ＮＯ）にはステップＳ２２に移行し、選択されていると判定した場合（ステップＳ２１；ＹＥＳ）にはステップＳ２３に移行する。ここで、ユーザ聞き取り読み検索（しゃべったまま検索）とは、ユーザ学習情報に対応して、ユーザがしゃべった読みに基づく音声認識のユーザ読みやユーザ自身が登録したユーザ登録読みに基づいて検索を実行する検索処理のことである。
【００５０】
ステップＳ２２では、ＣＰＵ２０は、他の操作が行われていると判断した場合（ステップＳ２２；ＹＥＳ）には他の処理へ移行し、他の操作が行われていないと判断した場合（ステップＳ２２；ＮＯ）にはステップＳ１３に移行する。
【００５１】
ＣＰＵ２０は、ユーザ聞き取り読み検索（しゃべったまま検索）を実行し、ユーザ操作により読みが入力されると（ステップＳ２３）、入力された読みに前方一致するユーザ学習情報があるか否かを判定し（ステップＳ２４）、ない場合（ステップＳ２４；ＮＯ）には「ユーザから登録された読みに一致する見出しがありません」をメインディスプレイ１０に表示する（ステップＳ２５）。
なお、ユーザ聞き取り読み検索の開始時においては、ＣＰＵ２０は、前回の入力内容をメインディスプレイ１０に表示しており、これにより新規入力だけでなく前回の入力内容を修正することも可能となっている。
【００５２】
次いで、ＣＰＵ２０は、ユーザ操作により標準読み検索に切り替える指示が入力されたか否かを判定し（ステップＳ２６）、入力されていない場合（ステップＳ２６；ＮＯ）にはステップＳ２３に移行し、入力されている場合（ステップＳ２６；ＹＥＳ）にはステップＳ１４に移行する。
【００５３】
また、ＣＰＵ２０は、ステップＳ２４で、入力された読みに前方一致するユーザ学習情報があると判定した場合（ステップＳ２４；ＹＥＳ）には前方一致するユーザ学習情報を有する見出しをメインディスプレイ１０に一覧表示する（ステップＳ２７）。
【００５４】
次いで、ＣＰＵ２０は、一覧表示されている見出しから何れかの見出しがユーザ操作により選択されると（ステップＳ２８）、ユーザ学習情報の登録内容と、日本語の正式読みとをメインディスプレイ１０に識別表示させる（ステップＳ２９）。
次いで、ＣＰＵ２０は、キー群２の戻るキー２ｇが操作されたか否かを判定し（ステップＳ３０）、操作された場合にはステップＳ２３に移行し、そうでない場合は他の処理を実行する。
【００５５】
［４  動作例］
続いて、図面を参照しつつ、上述した電子辞書１の動作を具体的に説明する。
【００５６】
まず、図７（ａ）に示すように、ユーザにより中国人用の日本語会話が選択され（ステップＳ１；ＹＥＳ）、その後、学習対象として「人と会う」ジャンルの「上手な日本語ですね。」が選択されると（ステップＳ２）、メインディスプレイ１０の上画面１０ａに「上手な日本語ですね。」とその中国語訳Ｃ１が表示される（ステップＳ３）。
【００５７】
次いで、ユーザにより「聞き比べ」アイコンｉ１がタッチされると、メインディスプレイ１０の下画面１０ｂには「マイクに向かって発音しましょう。最後に正式読みで再生された音声と、発音した音声を聞き比べることができます。」が表示される。
この表示によりユーザは「上手な日本語ですね」を発声する。このとき、実際の発声内容は吹き出しｆ１に示すように「じょずな にほご ですね」であったとする。
この発声内容は、音声入力部５５を介して発声音声データとして記憶部８０に記憶され（ステップＳ５）、音声認識がなされる（ステップＳ６）。
【００５８】
音声認識の完了後には、図７（ｂ）に示すように、上画面１０ａには「上手な日本語ですね」と中国語訳Ｃ１との間に日本語の正式読み「じょうずな にほんご ですね」が表示され、下画面１０ｂには、「上手な日本語ですね」をなす各語句「上手な」、「日本語」、「ですね」の複数の候補（日本語の正式読みと、複数の誤り読み候補）がランダムな順で表示される（ステップＳ７）。具体的に「上手な」に対しては、日本語の正式読みである「じょうずな」と、誤り読み候補である「じようずな」、「じょずな」、「じょうず」がランダムな順に表示されている（本実施形態では、上から順に「じょうずな」、「じょずな」、「じようずな」、「じょうず」と表示されている）。「日本語」に対しては上から順に「にほご」、「にほんご」、「にほんこ」、「にほこ」が表示されている。「ですね」に対しては上から順に「ですえ」、「です」、「でね」、「ですね」が表示されている。そして、これら複数の候補のうち、音声認識によって決定された文字列に該当する候補に対しては、黄色の網掛け９０ｙ（図ではドット網掛け）が施されることで識別表示されている。
【００５９】
その後、ユーザは音声認識によって決定された文字列が、自分が発声したと思う文字列と異なっていると判断した場合には、自分が日本語の正式読みだと思う候補を選択する（ステップＳ８）。このとき選択した候補に対しては緑色の網掛け９０ｇ（図では斜線網掛け）が施されることで識別表示されている。
【００６０】
次いで、訳／決定キー２ｂが操作されると、図７（ｃ）に示すように、日本語の正式読みに対しては赤枠９１ｒが施されることで識別表示されている。これにより、日本語の正式読みと、ユーザ操作により選択された候補（ユーザ読み）と、音声認識で決定された候補とが識別表示される（ステップＳ９）。さらに、音声認識で決定された候補と、ユーザ操作により選択された候補とは、語句毎に日本語表記候補テーブル８２３のユーザ選択欄に登録される（ステップＳ１０）。この登録内容は、ユーザ学習情報としてその語句に対応付けてユーザ読みデータ８２４に記憶している。
具体的には、ユーザ選択欄のユーザ音声読み欄では、「上手な」に対しては（１）「じょずな」、「日本語」に対しては（２）「にほご」、「ですね」に対しては（Ａ）「ですね」が登録される。また、ユーザ選択欄のユーザ選択読み欄では、「じょずな」が「じょうずな」に修正されたために「上手な」に対しては（Ａ）「じょうずな」が登録され、「にほご」が「にほんご」に修正されたため「日本語」に対しては（Ａ）「日本語」が登録される。
【００６１】
また、訳／決定キー２ｂが操作されたことに伴い、日本語音声会話コンテンツ８２２にある日本語読みの音声データが再生され（図７（ｃ）中、吹き出しｆ２）、その後、記憶部８０にある発声音声データも再生される（図７（ｃ）中、吹き出しｆ３）。
これにより、ユーザが日本語の正式読みと、自分の発声内容とを聞き比べすることができ、日本語の発声学習の効率化が図られることとなる。
【００６２】
図７（ｄ）は、別の学習候補が選ばれた際の表示内容を示す説明図である。
学習候補として「人と会う」ジャンルの「北大学です。」が選択されると、メインディスプレイ１０の上画面１０ａに「北大学です。」とその中国語訳Ｃ２が表示される。
【００６３】
次いで、ユーザにより「聞き比べ」アイコンｉ１がタッチされて、「北大学です。」が吹き出しｆ４に示すように「きだ だいあく です」と発声されたとする。この発声内容は、音声入力部５５を介して発声音声データとして記憶部８０に記憶され、音声認識がなされる。
【００６４】
音声認識の完了後には、上画面１０ａには「北大学です」と中国語訳Ｃ２との間に日本語の正式読み「きた だいがく です」が表示され、下画面１０ｂには、「北大学です」をなす各語句「北」、「大学」、「です」の複数の候補がランダムに表示される。具体的に「北」に対しては上から順に「きだ」、「きた」、「ぎだ」、「べい」が表示されている。「大学」に対しては上から順に「だいあく」、「だいがく」、「だいかく」、「だいが」が表示されている。「です」に対しては上から順に「でせ」、「です」、「で」、「でさ」が表示されている。
【００６５】
これら複数の候補のうち、音声認識によって決定された文字列に該当する候補に対しては、黄色の網掛け９０ｙが施されるとともに、ユーザが選択した候補に対しては緑色の網掛け９０ｇが施される。音声認識で決定された候補と、ユーザ操作により選択された候補（ユーザ読み）とは、語句毎に日本語表記候補テーブル８２３のユーザ選択欄に登録される。
具体的には、ユーザ選択欄のユーザ音声読み欄では、「北」に対しては（Ａ）「きだ」、「大学」に対しては（１）「だいあく」、「です」に対しては（Ａ）「です」が登録される。また、ユーザ選択欄のユーザ選択読み欄では、「きだ」が「ぎだ」に間違って修正されたために「きた」に対しては（３）「ぎだ」が登録され、「だいあく」が「だいがく」に修正されたため「大学」に対しては（Ａ）「だいがく」が登録される。
【００６６】
その後、訳／決定キー２ｂが操作されると、日本語の正式読みに対しては赤枠９１ｒが施されるとともに、日本語音声会話コンテンツ８２２にある日本語読みの音声データが再生され（図７（ｄ）中、吹き出しｆ５）、その後、記憶部８０にある発声音声データも再生される（図７（ｄ）中、吹き出しｆ６）。
【００６７】
図７（ｅ）は、別の学習候補が選ばれた際の表示内容を示す説明図である。
学習候補として「買い物」ジャンルの「７個ください。」が選択されると、メインディスプレイ１０の上画面１０ａに「７個ください。」とその中国語訳Ｃ３が表示される。
【００６８】
次いで、ユーザにより「聞き比べ」アイコンｉ１がタッチされて、「７個ください」が吹き出しｆ７に示すように「ならこ ください」と発声されたとする。この発声内容は、音声入力部５５を介して発声音声データとして記憶部８０に記憶され、音声認識がなされる。
【００６９】
音声認識の完了後には、上画面１０ａには「７個ください」と中国語訳Ｃ３との間に日本語の正式読み「ななこ ください」が表示され、下画面１０ｂには、「７個ください」をなす各語句「７個」、「下さい」の複数の候補がランダムに表示される。具体的に「７個」に対しては上から順に「なんこ」、「ななこ」、「ならこ」、「なながー」が表示されている。「下さい」に対しては上から順に「ください」、「くたさえ」、「くたさい」、「くださえ」が表示されている。
【００７０】
これら複数の候補のうち、音声認識によって決定された文字列に該当する候補に対しては、黄色の網掛け９０ｙが施されるとともに、ユーザが選択した候補に対しては緑色の網掛け９０ｇが施される。音声認識で決定された候補と、ユーザ操作により選択された候補（ユーザ読み）とは、語句毎に日本語表記候補テーブル８２３のユーザ選択欄に登録される。
具体的には、ユーザ選択欄のユーザ音声読み欄では、「７個」に対しては（１）「ならこ」、「下さい」に対しては（Ａ）「ください」が登録される。また、ユーザ選択欄のユーザ選択読み欄では、修正されなかったために何も登録されない。
【００７１】
その後、訳／決定キー２ｂが操作されると、日本語の正式読みに対しては赤枠９１ｒが施されるとともに、日本語音声会話コンテンツ８２２にある日本語読みの音声データが再生され（図７（ｅ）中、吹き出しｆ８）、その後、記憶部８０にある発声音声データも再生される（図７（ｅ）中、吹き出しｆ９）。
【００７２】
次に、ユーザ操作により標準読み検索が選択された場合（ステップＳ１３；ＹＥＳ）には、図８（ａ）に示すように、メインディスプレイ１０には、「かな検索」と記載された検索欄１０１が表示されている。この検索欄１０１にはユーザ操作によって所望の文字列が入力される（ステップＳ１４）。この際、ＣＰＵ２０は、標準読み検索を実行しており、日本語の正式読みを基準にして文字入力毎に日中データベース群８２から前方一致検索して該当の見出しをメインディスプレイ１０に一覧表示する（ステップＳ１５）。このとき「ならこ」が検索欄１０１に入力されたとすると、メインディスプレイ１０には、「奈良公園は」が表示される。この「奈良公園は」がユーザ操作で選択されると（ステップＳ１６）、その選択された見出しの会話文「奈良公園はどこ？」と、その日本語の正式読み「ならこうえんはどこ？」と、中国語訳Ｃ４とがメインディスプレイ１０に表示される（ステップＳ１７）。
さらに、「奈良公園はどこ？」に対してユーザ学習情報が登録されていない場合（ステップＳ１８；ＮＯ）を例示しているため、これ以上の表示はなされていないが、登録されている場合（ステップＳ１８；ＹＥＳ）には、「奈良公園はどこ？」の日本語の正式読みと、ユーザ学習情報の登録内容とが識別表示される（ステップＳ１９）。
【００７３】
ここで、ユーザは、意図する見出しが表示されていないと判断すると、図８（ｂ）に示すように、検索欄１０１の「かな検索」部分をタッチする。これによりＣＰＵ２０では、ユーザ操作によりユーザ聞き取り読み検索（しゃべったまま検索）が選択されたと判定され（ステップＳ２１；ＹＥＳ）、「かな検索」部分が「しゃべったまま検索」に切り替わる。検索欄１０１内にすでに入力された文字列をＣＰＵ２０は、ユーザ操作により入力された読みとする（ステップＳ２３）。この際、ＣＰＵ２０は、ユーザ聞き取り読み検索を実行しており、入力された読み「ならこ」に前方一致するユーザ学習情報がある場合（ステップＳ２４；ＹＥＳ）には、前方一致するユーザ学習情報を有する「７個ください」をメインディスプレイ１０に表示する（ステップＳ２７）。このとき、「７個ください」のみが表示されているので、ＣＰＵ２０は、「７個ください」がユーザにより選択されたものとする（ステップＳ２８）。その後、上画面１０ａには「７個ください」と中国語訳Ｃ３との間に日本語の正式読み「ななこ ください」が表示される。これに加えて、下画面１０ｂには、「７個」に対しては上から順に「なんこ」、「ななこ」、「ならこ」、「なながー」が表示され、「下さい」に対しては上から順に「ください」、「くたさえ」、「くたさい」、「くださえ」が表示されている。
そして、「７個下さい」に登録されているユーザ学習情報を基に、「ならこ」に対しては黄色の網掛け９０ｙを施し、「ななこ」に対しては赤枠９１ｒを施して識別表示する。同様に、「ください」に対しては黄色の網掛け９０ｙを施すとともに赤枠９１ｒを施して識別表示する。
これにより、登録時のユーザの発声内容と日本語の正式読みとが、登録以降にも確認することができ、ユーザの日本語の習得状況を客観的に把握することができる。
【００７４】
以上のように、ユーザ操作によって入力された日本語読みの候補（文字列）が、学習対象である語句又は会話文に対して登録される。その後、ユーザ操作によって文字列が入力されると、この入力された文字列が登録された日本語の文又は語句が表示される。つまり、日本語の学習によって誤った読みをユーザが記憶していたとしても、一度登録されてしまえばその誤った文字列で検索することができる。したがって、ユーザが日本語を発声した読み方が不正確な場合でも、ユーザが読んだ文字列で日本語の文又は語句を容易かつ効果的に検索することができる。
【００７５】
また、メインディスプレイ１０に表示された文又は語句の日本語の正式読み（第一国語読み）に対して、ユーザ操作によって決定された日本語の文字列が合わせて表示されるので、ユーザが記憶する誤った読みで検索したとしても、その検索結果とともに正式読みも表示されることになり、ユーザ自身が誤った読みを記憶していることをユーザに認識させることができる。
【００７６】
また、発声音声データを音声認識し、当該認識結果に対して、複数の候補（日本語の正式読み及び複数の読み候補）を照合することによって、複数の候補の中からユーザが発声した日本語の文字列を決定するので、予め用意された複数の候補に対して音声認識の結果を落とし込むことができる。したがって、複雑な音声認識処理を用いなくても、ユーザの発した音声を複数の候補の中から容易に認識することができる。
【００７７】
また、日本語の会話文又語句と、中国語の訳（第二国語訳）とを合わせて表示しているので、ユーザの自国語（第二国語）の意味も視認しつつ日本語の会話文又は語句を学習することができる。したがって効率的な日本語学習が可能となる。
【００７８】
なお、本発明を適用可能な実施形態は、上述した実施形態に限定されることなく、本発明の趣旨を逸脱しない範囲で適宜変更可能である。
【００７９】
例えば、本発明に係る表示制御装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能であり、図１（ｂ）に示すようなタブレットパソコン１Ａに特に好適に適用される。また、本発明に係る日本語学習制御プログラム８１は、電子辞書１に対して着脱可能な外部情報記憶媒体１２ａに記憶されることとしてもよい。
【００８０】
また、本実施形態では、日中データベース群８２が記憶部８０に記憶されている場合を例示して説明しているが、これらは外部のサーバ装置１００に記憶されていてもよい。この場合、ＣＰＵ２０は、通信部９０を介してサーバ装置１００にある日中データベース群８２を取得する。
【００８１】
また、本実施形態では、中国人が日本語を学習する場合を例示して説明したが、その他の外国人が日本語を学習する場合においても本発明を実施することが可能である。
例えば、図９はインドネシア人が日本語を学習する場合の表示例を示している。
この場合、学習候補として「挨拶」ジャンルの「今晩は」が選択されている。
そして、ユーザにより「聞き比べ」アイコンｉ１がタッチされて、「今晩は」が吹き出しｆ１０に示すように「こばんは」と発声されたとする。この発声内容は、音声入力部５５を介して発声音声データとして記憶部８０に記憶され、音声認識がなされる。
【００８２】
音声認識の完了後には、上画面１０ａには「今晩は」と、日本語の正式読み「こんばんは」と、インドネシア語訳Ｃ５とが表示され、下画面１０ｂには、「今晩は」の複数の候補がランダムに表示される。具体的に「今晩は」に対して上から順に「こばんは」、「こーばんは」、「こんばんは」が表示されている。
【００８３】
これら複数の候補のうち、音声認識によって決定された文字列に該当する候補に対しては、黄色の網掛け９０ｙが施されている。この場合にはユーザが選択した候補はないので緑色の網掛け９０ｇは施されていない。音声認識で決定された候補は、日本語表記候補テーブル８２３のユーザ選択欄に登録される。
その後、訳／決定キー２ｂが操作されると、日本語の正式読みに対しては赤枠９１ｒが施されるとともに、日本語音声会話コンテンツ８２２にある日本語読みの音声データが再生され（図９（ａ）中、吹き出しｆ１１）、その後、記憶部８０にある発声音声データも再生される（図９（ａ）中、吹き出しｆ１２）。
【００８４】
次に、図９（ｂ）に示すように、ユーザ操作によりユーザ聞き取り読み検索が選択されて「しゃべったまま検索」の検索欄１０１内に「こばんは」が入力されたとする。この際、ＣＰＵ２０は、ユーザ聞き取り読み検索を実行しており、入力された読み「こばんは」に前方一致するユーザ学習情報がある複数の見出しから、ユーザ操作によって「今晩は」が選択されると、上画面１０ａには今晩は」と、日本語の正式読み「こんばんは」と、インドネシア語訳Ｃ５とが表示される。これに加えて、下画面１０ｂには、「今晩は」に対して上から順に「こばんは」、「こーばんは」、「こんばんは」が表示されている。
そして、「今晩は」に登録されているユーザ学習情報を基に、「こばんは」に対しては黄色の網掛け９０ｙを施し、「こんばんは」に対しては赤枠９１ｒを施して識別表示する。
これにより、登録時のユーザの発声内容と日本語の正式読みとが、登録以降にも確認することができ、インドネシア語を自国語（第二国語）とするユーザの日本語の習得状況を客観的に把握することができる。
【００８５】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８６】
〔付記〕
＜請求項１＞
第一国語の文又は語句と、当該文又は語句の第一国語読みとを対応付けて複数組記憶する第一国語記憶手段と、
前記第一国語記憶手段に記憶されたいずれかの第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段と、を備えることを特徴とする表示制御装置。
＜請求項２＞
請求項１記載の表示制御装置において、
前記第一国語記憶手段は、第一国語の文又は語句と、前記第一国語読みに対応する第一国語誤り読み候補とを対応付けて複数組記憶していて、
前記ユーザ発声文字列決定手段は、前記ユーザ音声取得手段により取得された発声音声データを音声認識して、前記第一国語の文又は語句に対応する第一国語読み及び前記誤り候補のうちから、前記ユーザが発声した第一国語の文字列をユーザ読みとして決定することを特徴とする表示制御装置。
＜請求項３＞
請求項２記載の表示制御装置において、
前記第一国語記憶手段は、第一国語の文又は語句と、前記第一国語読みに対応する第一国語誤り読み候補とを対応付けて複数組記憶していて、
前記ユーザ発声文字列決定手段により決定された第一国語の文字列を前記表示部に表示させるユーザ発声文字列表示制御手段と、
前記第一国語の文又は語句に対応する第一国語読み及び複数の前記誤り読み候補をランダムな順で前記表示部に表示させる読み候補表示制御手段と、
前記読み候補表示制御手段によりランダムに表示された第一国語読み及び複数の前記誤り読み候補のうちのいずれかを、ユーザ操作によりユーザ読みとして選択するユーザ読み選択手段と、を備え、
前記ユーザ読み登録手段は、前記ユーザ読み選択手段で選択されたユーザ読みを、前記表示された第一国語又は語句に対応付けて登録するユーザ選択読み登録手段を備えることを特徴とする表示制御装置。
＜請求項４＞
請求項１〜３のいずれか一項に記載の表示制御装置において、
前記第一国語表示制御手段は、前記表示された第一国語の文又は語句の第一国語読みと、ユーザ読み登録手段にユーザ読みとして登録された前記第一国語の文字列と、を合わせて前記表示部に表示させることを特徴とする表示制御装置。
＜請求項５＞
請求項１〜４のいずれか一項に記載の表示制御装置において、
前記第一国語記憶手段は、第一国語の文又は語句と、当該文又は語句の第一国語読みと、前記文又は語句の第二国語訳と、を対応付けて複数組記憶し、
前記第一国語表示制御手段は、前記第一国語記憶手段に記憶されたいずれかの第一国語の文又は語句を読み出して前記表示部に表示させる際に、当該第一国語の文又は語句に対応する前記文又は語句の第二国語訳も合わせて前記表示部に表示させることを特徴とする表示制御装置。
＜請求項６＞
第一国語の文又は語句と、当該文又は語句の第一国語読みとを対応付けられた状態で外部から取得する第一国語取得手段と、
前記第一国語取得手段で取得された第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段と、を備えることを特徴とする表示制御装置。
＜請求項７＞
請求項１〜６のいずれか一項に記載の表示制御装置において、
前記表示部と、
キー群及びタッチパネルの少なくとも一方とを備え、
前記ユーザ操作は、前記キー群及び前記タッチパネルの少なくとも一方に対して行われることを特徴とする表示制御装置。
＜請求項８＞
コンピュータを、
第一国語の文又は語句と、当該文又は語句の第一国語読みとを対応付けて複数組記憶する第一国語記憶手段と、
前記第一国語記憶手段に記憶されたいずれかの第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段として機能させることを特徴とするプログラム。
＜請求項９＞
コンピュータを、
第一国語の文又は語句と、当該文又は語句の第一国語読みとを対応付けられた状態で外部から取得する第一国語取得手段と、
前記第一国語取得手段で取得された第一国語の文又は語句を読み出して表示部に表示させる第一国語表示制御手段と、
前記第一国語表示制御手段により表示された第一国語の文又は語句に対応してユーザが発声した発声音声データを取得するユーザ音声取得手段と、
前記ユーザ音声取得手段により取得された発声音声データを音声認識することにより、前記ユーザが発声した第一国語の文字列を決定するユーザ発声文字列決定手段と、
前記ユーザ発声文字列決定手段により決定された前記第一国語の文字列をユーザ読みとして、前記表示部に表示された第一国語の文又は語句に対応付けて登録するユーザ読み登録手段と、
ユーザ操作により入力された前記第一国語の文字列に対応するユーザ読みの第一国語の文又は語句を前記表示部に表示させるユーザ読み表示制御手段として機能させることを特徴とするプログラム。
【符号の説明】
【００８７】
１      電子辞書
１０      メインディスプレイ
２０      ＣＰＵ
３０      入力部
４０      表示部
５０      音声出力部
５５      音声入力部
６０      記録媒体読取部
８０      記憶部
８１      日本語学習制御プログラム
８２      日中データベース群
８３      音声認識プログラム
９０      通信部
【図１】
2015184285.tif 000003
【図２】
2015184285.tif 000004
【図３】
2015184285.tif 000005
【図４】
2015184285.tif 000006
【図５】
2015184285.tif 000007
【図６】
2015184285.tif 000008
【図７】
2015184285.tif 000009
【図８】
2015184285.tif 000010
【図９】
2015184285.tif 000011